(57)【要約】【課題】施工作業が簡単で天井裏での作業を必要とせず施工期間の短縮を可能にするとともに、作業員の数を削減し得るようにした天井パネルの取付構造および架設方法を提供する。【解決手段】隣り合う２本の吊レール４，４の互いに対向する側面に吊金物受２０を天井パネル１枚につき少なくとも２個宛突設する。天井パネル１の各吊レール側端部に複数個の吊金物１０Ａを前記吊金物受２０に対応して取付ける。吊金物１０はＬ字状の溝からなる係合部１４を有し、天井パネル１をパネル架設方向（Ａ方向）とは反対方向に水平に移動させて前記係合部１４を吊金物受２０に引っ掛けることにより、天井パネル１を吊レール４，４間に架設する。【選択図】　　　　図２
2004044153.tif 000002
【特許請求の範囲】
【請求項１】
吊ボルトに吊レールを吊架し、この吊レールに複数枚の天井パネルを架設するようにした天井パネルの取付構造において、
隣り合う２本の吊レールの互いに対向する側面に吊金物受を天井パネル１枚につき少なくとも２個宛突設し、
前記天井パネルの各吊レール側端面に複数個の吊金物を前記吊金物受に対応して取付け、
前記吊金物を前記吊金物受に水平方向から掛止させることにより前記天井パネルを吊レール間に架設したことを特徴とする天井パネルの取付構造。
【請求項２】
吊ボルトに吊レールを吊架し、この吊レールに複数枚の天井パネルを架設するようにした天井パネルの取付構造において、
隣り合う２本の吊レールの互いに対向する側面に吊金物受を天井パネル１枚につき少なくとも２個宛突設し、
前記天井パネルの各吊レール側端面に複数個の吊金物を前記吊金物受に対応して取付け、
前記吊レールの長手方向と直交する壁面に廻り縁を取付け、この壁面に隣接する天井パネルに対しては各吊レール側端面に１つの吊金物をそれぞれ取付け、
前記壁面に隣接する天井パネル以外の天井パネルには前記吊金物を前記吊金物受に水平方向から掛止させることにより前記天井パネルを吊レール間に架設し、
前記壁面に隣接した天井パネルには壁面とは反対側端部が壁面側端部より低くなるように傾斜させて吊金物を吊金物受に掛止して水平になるように回動させることにより壁面側端を前記廻り縁に架設したことを特徴とする天井パネルの取付構造。
【請求項３】
請求項１または２記載の天井パネルの取付構造において、
隣り合う吊レールのうちのいずれか一方が前記吊レールと平行な壁で吊金物受が取付けられていることを特徴とする天井パネルの取付構造。
【請求項４】
請求項２または３記載の天井パネルの取付構造において、
吊レールの長手方向と直交する壁面に隣接する天井パネルと前記壁面に取付けられた廻り縁との隙間が吊金物の吊金物受挿入寸法より小さいことを特徴とする天井パネルの取付構造。
【請求項５】
請求項１，２，３または４記載の天井パネルの取付構造において、
吊金物受がボルトで、吊金物の係合部が吊金物の一側縁に開放するＬ字状の溝であることを特徴とする天井パネルの取付構造。
【請求項６】
吊レールと、この吊レールと直交する壁面に取付けた廻り縁に天井パネルを架設する天井パネルの架設方法において、
前記吊レールに吊金物受を突設し、
前記天井パネルの吊レール側端面に一側縁に開放するＬ字状の溝からなる係合部を有する吊金物を前記吊金物受に対応して取付け、
前記天井パネルを前記壁面とは反対側端部が壁面側端部より低くなるように傾斜させて吊レールの上方に持ち上げ、前記吊金物を吊金物受に掛止させることにより、壁面側とは反対側端部を前記吊レールに架設し、前記吊金物受を回動中心として前記天井パネルを水平になるように回動させることにより壁面側端を前記廻り縁に架設することを特徴とする天井パネルの架設方法。
【発明の詳細な説明】
【０００１】
【発明の属する技術分野】
本発明は、天井パネルの取付構造に関する。
【０００２】
【従来の技術】
コンビニエンスストア、カーディーラーのショールーム、フランチャイズ店、仮設住宅、ファミリーレストラン等の建築物は、安価で、しかも施工、解体、移設、再使用等が容易なことが要求される。
【０００３】
図５はこの種の建築物における従来の天井パネルの取付構造を示す図で、Ａは吊ボルト、Ｂは吊レール、Ｃは天井パネル、Ｄは吊金物である。天井パネルＣの取付けに際しては、作業員二人で天井パネルＣを下から持ち上げ、天井裏の別の作業員が吊金物Ｄを用いて天井パネルＣを吊レールＢに固定することにより施工するようにしている。
【０００４】
【発明が解決しようとする課題】
上記した従来の天井パネルの取付構造においては、作業員二人が下から天井パネルを持ち上げて吊レールＢに取付けられている吊金物Ｄに当てがい、天井裏の作業員が吊金物Ｄを天井パネルＣにボルトＥによって固定することにより、天井パネルＣを吊レールＢに架設するようにしているため、吊金物Ｄを天井パネルＣに固定する作業が煩雑であるため、天井パネルＣの施工に長時間を要するばかりか、少なくとも３人の作業員を必要とするため、作業員の確保が難しく、また人件費が嵩むという問題があった。
【０００５】
本発明は上記した従来の問題を解決するためになされたもので、その目的とすところは、施工作業が簡単で天井裏での作業を必要とせず施工期間の短縮を可能にするとともに、作業員の数を削減し得るようにした天井パネルの取付構造および架設方法を提供することにある。
【０００６】
【課題を解決するための手段】
上記目的を達成するために第１の発明は、吊ボルトに吊レールを吊架し、この吊レールに複数枚の天井パネルを架設するようにした天井パネルの取付構造において、隣り合う２本の吊レールの互いに対向する側面に吊金物受を天井パネル１枚につき少なくとも２個宛突設し、前記天井パネルの各吊レール側端面に複数個の吊金物を前記吊金物受に対応して取付け、前記吊金物を前記吊金物受に水平方向から掛止させることにより前記天井パネルを吊レール間に架設したものである。
【０００７】
第１の発明においては、下から天井パネルを持ち上げて水平方向に移動させると、吊金物が物吊金物受に引っ掛けかり、天井パネルを隣り合う吊レール間に架設することができる。したがって、天井裏での作業が不要である。
【０００８】
第２の発明は、吊ボルトに吊レールを吊架し、この吊レールに複数枚の天井パネルを架設するようにした天井パネルの取付構造において、隣り合う２本の吊レールの互いに対向する側面に吊金物受を天井パネル１枚につき少なくとも２個宛突設し、前記天井パネルの各吊レール側端面に複数個の吊金物を前記吊金物受に対応して取付け、前記吊レールの長手方向と直交する壁面に廻り縁を取付け、この壁面に隣接する天井パネルに対しては各吊レール側端面に１つの吊金物をそれぞれ取付け、前記壁面に隣接する天井パネル以外の天井パネルには前記吊金物を前記吊金物受に水平方向から掛止させることにより前記天井パネルを吊レール間に順次架設し、前記壁面に隣接した天井パネルには壁面とは反対側端部が壁面側端部より低くなるように傾斜させて吊金物を吊金物受に掛止して水平になるように回動させることにより壁面側端を前記廻り縁に架設したものである。
【０００９】
第２の発明においては、壁面に隣接する天井パネルを壁面とは反対側端部が壁面側端部より低くなるように傾斜させて吊金物を吊金物受に掛止した後、水平になるように回動させて壁面側端を廻り縁に載置すると、直前に架設された既設の天井パネルと壁面との間に架設することができる。廻り縁は天井パネルの壁面側端部を支持し、天井パネルと壁面との間の隙間を覆う。
【００１０】
第３の発明は、上記第１または第２の発明において、隣り合う吊レールのうちのいずれか一方を吊レールと平行な壁とし吊金物受を取付けたものである。
【００１１】
第３の発明においては、吊レールと壁との間に天井パネルが架設される。
【００１２】
第４の発明は、上記第２または第３の発明において、吊レールの長手方向と直交する壁面に隣接する天井パネルと前記壁面に取付けられた廻り縁との隙間を、吊金物の吊金物受挿入寸法より小さくしたものである。
【００１３】
第４の発明においては、吊レールの長手方向と直交する壁面に隣接する天井パネルと前記壁面に取付けられた廻り縁との隙間が吊金物受の吊金物に対する挿入寸法より小さいので、天井パネルが振動等によって動いたりしても互いに規制し合い、吊金物が吊金物受けから外れることがない。
【００１４】
第５の発明は、上記第１、第２または第３の発明において、吊金物受をボルトで構成し、吊金物の係合部を吊金物の一側縁に開放するＬ字状の溝で構成したものである。
【００１５】
第５の発明においては、吊金物の係合部は一側縁に開放するＬ字状の溝からなり、水平溝部がボルトからなる吊金物受の水平方向からの挿入を可能にし、垂直溝部が吊金物受に対して天井パネルを位置決めする。
【００１６】
第６の発明は、吊レールと、この吊レールと直交する壁面に取付けた廻り縁に天井パネルを架設する天井パネルの架設方法において、前記吊レールに吊金物受を突設し、前記天井パネルの吊レール側端面に一側縁に開放するＬ字状の溝からなる係合部を有する吊金物を前記吊金物受に対応して取付け、前記天井パネルを前記壁面とは反対側端部が壁面側端部より低くなるように傾斜させて吊レールの上方に持ち上げ、前記吊金物を吊金物受に掛止させることにより、壁面側とは反対側端部を前記吊レールに架設し、前記吊金物受を回動中心として前記天井パネルを水平になるように回動させることにより壁面側端を前記廻り縁に架設するようにしたものである。
【００１７】
第６の発明においては、壁面に隣接する天井パネルを壁面とは反対側端部が壁面側端部より低くなるように傾斜させて吊金物を吊金物受に掛止した後、水平になるように回動させて壁面側端を廻り縁に載置すると、直前に架設された既設の天井パネルと壁面との間に架設することができる。
【００１８】
【発明の実施の形態】
以下、本発明を図面に示す実施の形態に基づいて詳細に説明する。
図１は本発明に係る天井パネルの取付構造の一実施の形態を示す平面図、図２は同じく天井パネルの取付構造を示す斜視図、図３は同じく天井パネルの取付構造を示す断面図、図４は同じく天井パネルの取付構造を示す断面図である。なお、図１では奥行き方向に対向する２つの壁面間に１本の吊レールを架設した場合における天井レールの取付構造を示し、図２では隣り合う２本の吊レール間に架設される天井パネルの取付構造を示している。
【００１９】
これらの図において、１は室２の天井を形成する天井パネル、３は建築物の図示しない大梁または駆体上階のスラブ面に垂設された吊ボルト、４は吊ボルト３の下端部に架設された吊レール、５は室２の内壁面を形成する壁６（６Ａ〜６Ｃ）に固定された廻り縁、７は柱、８は梁、９は胴縁である。
【００２０】
前記天井パネル１は、畳１畳分の大きさ（長辺が１間、短辺が半間）を有している。天井パネル１は、長辺１ａが室２の奥行き方向と一致し、間口方向と直交している。図１においては、室２の間口方向に４列、奥行き方向に２列、合計８枚の天井パネル１を前記吊レール４と廻り縁５に架設した例を示している。また、天井パネル１の架設方向は、間口方向の各列とも図１において矢印Ａ方向である。
【００２１】
前記天井パネル１の各短辺１ｂ側端部の上面には、それぞれ吊金物１０が固定されている。この場合、図１においては吊レール４のパネル架設方向の終端である右端４ａが吊レール４と直交する右側の壁６Ａから半間近く離間していることから、前記壁６Ａに隣接する右端の２枚の天井パネル１Ａについては、各短辺１ｂの前記壁６Ａ側とは反対側の端部にそれぞれ１個ずつ合計２個の吊金物１０を固定し、前記２枚の天井パネル６Ａ以外の天井パネル１については、各短辺１ｂの側縁部に２個ずつ、合計４個の吊金物１０を固定している。なお、右端の天井パネル１Ａについては、他の天井パネル１と区別して説明する必要があるときのみ、添字「Ａ」を付して示す。
【００２２】
前記天井パネル１の４つの側端面には、溝１１（図２）が全周にわたって形成されており、この溝１１には隣り合う天井パネル１どうしまたは廻り縁５との隙間を気密に保つ気密パッキン１２が取付けられている。
【００２３】
前記吊金物１０は、図２および図３に示すように金属板の折曲加工によってＬ字状に形成されることにより、水平な固定板１０ａと、この固定板１０ａの一辺から垂直に起立する垂直板１０ｂと、固定板１０ａの他辺から上方に折り曲げられた折曲片１０ｃとからなり、前記固定板１０ａがボルト１３によって天井パネル１の上面に、前記垂直板１０ｂが前記吊レール４の側面と対向するように固定され、垂直板１０ｂには係合部１４が形成されている。係合部１４は、水平溝部１４ａと、この水平溝部１４ａの終端に下端が連通する垂直溝部１４ｂとからなるＬ字形の溝で、水平溝部１４Ａが前記垂直板１０ｂのパネル架設方向（矢印Ａ方向）とは反対側の側縁に開放している。
【００２４】
前記吊金物１０としては、固定板１０ａの長さが異なる２種類の吊金物１０Ａ，１０Ｂが用いられる。固定板１０ａの短い吊金物１０Ａは、図１に示すように天井パネル１の吊レール４側端部に取付けられている。また、この吊金物１０Ａは、図２に示すように垂直板１０ｂが天井パネル１（１Ａ）の端縁より内側に位置するように取付けられている。一方、固定板１０ａの長い吊金物１０Ｂは、天井パネル１の廻り縁５側端部に取付けられている。また、この吊金物１０Ｂは垂直板１０ｂが天井パネル１の端縁より外側に位置するように取付けられている（図４）。
【００２５】
前記吊レール４は、断面形状が下方に開放するコ字状のアルミニウム製押出形材によって形成されており、室２の間口方向に延在するように吊設されている。図１および図３において、吊レール４の右端４ａは、右側の壁６Ａから半間弱離間している。また、吊レール４の下面には、開放部の開きを防止する複数個の開き止めプレート１６（図２）が長手方向に適宜間隔をおいて固定されている。
【００２６】
前記吊レール４の両側面と、この吊レール４と平行する壁６Ｂ，６Ｃの上面には、前記天井パネル１の各吊金物１０Ａ，１０Ｂを吊架する複数個の吊金物受２０が取付けられている。この吊金物受２０は市販のボルトで、吊レール４に対してはその側面に形成したねじ孔に螺合され溶接によって固定されている。また、吊金物受２０の頭部（ボルト頭部）２０Ａと吊レール４の側面との間には、吊金物受２０による吊金物１０Ａの吊架を可能にするため、前記吊金物１０Ａの板厚より若干大きな間隔が設定されている。
【００２７】
一方、壁６Ｂ，６Ｃ側の吊金物受２０は、図４に示すように壁６Ａ，６Ｂの上面にブラケット３１を介してそれぞれ取付けられている。
【００２８】
前記ブラケット３１は、Ｌ字形に形成されることにより水平板３１ａと、垂直板３１ｂとからなり、水平板３１ａが壁６Ｂ（６Ｃ）の上面に固定され、垂直板３１ｂが前記吊金物１０Ｂの垂直板１０ｂと対向し、この垂直板３１ｂに前記吊金物受２０が取付けられている。また、垂直板３１ｂは、壁６Ｂ（６Ｃ）の表面と略同一平面を形成しており、吊金物受２０の頭部２０Ａと垂直板３１ｂの表面との間には、吊金物受２０による吊金物１０Ｂの吊架を可能にするため、前記吊金物１０Ｂの垂直板１０ｂの板厚より若干大きな間隔が設定されている。
【００２９】
前記廻り縁５は、図３に示すように断面形状がＷ形のアルミニウム製押出形材によって形成されることにより、上側垂直片５ａと、下側水平片５ｂと、これらを接続する逆Ｌ字状の折曲部５ｃとからなり、上側垂直片５ａが止めねじ３３によって壁６Ａ（６Ｂ，６Ｃ）に固定され、下側水平片５ｂと屈曲部５ｃで天井パネル１と壁６Ａ（６Ｂ，６Ｃ）の隙間を覆っている。折曲部５ｃの垂直片５１は、天井パネル１の移動を規制するストッパ部を形成している。前記天井パネル１Ａと壁面パネル６Ａに固定されている廻り縁５のストッパ部５１との隙間ｄは、吊金物１０の係合部１４の吊金物受挿入寸法Ｄ、すなわち水平溝部１４ａの開口部から垂直溝部１４ｂの中心までの水平距離より小さく設定されている。なお、壁６Ａに取付けられている廻り縁５の下側水平板５ｂには、天井パネル１Ａの壁６Ａ側端部が架設されるようになっている。
【００３０】
次ぎに、天井パネルの架設作業について説明する。
間口方向に配列された天井パネル１，１Ａを隣り合う吊レール４，４間に架設する場合は、大梁または駆体上階のスラブ面に垂設した複数本の吊ボルト３の下端に吊金物受２０が取付けられている吊レール４を架設する。
【００３１】
次ぎに、作業者が天井パネル１に吊金物１０を取付ける。吊金物１０の取付けは、施工現場に限らず、天井パネル１の工場出荷時であってもよい。
【００３２】
次ぎに、作業者二人で天井パネル１を持ち上げて吊金物１０を吊金物受２０に引っ掛けることにより天井パネル１を隣り合う吊レール４，４間に順次架設する。吊金物１０を吊金物受２０に引っ掛ける際には、吊金物１０の係合部１４が開放している側、すなわち壁６Ａから最も遠い図２において手前側に位置する天井パネル１から順次架設し、最後に図１において間口方向右端の天井パネル１Ａを架設する。
【００３３】
吊金物１０を吊金物受２０に引っ掛ける場合、壁６Ａに隣接する天井パネル１Ａ以外の天井パネル１については、略水平に持ち上げて吊金物１０の係合部１４の水平溝部１４ａの高さを吊金物受２０の高さと一致させる。そして、天井パネル１を水平に吊金物受挿入寸法Ｄだけ移動させて吊金物受２０を前記水平溝部１４ａの内奥まで差し込むと垂直溝部１４ｂの下端に達するため、天井パネル１を引き下げて吊金物受２０を垂直溝部１４ｂの上側終端部に位置させる。これにより、吊金物１０が吊金物受２０に吊架され、天井パネル１が吊レール４，４間に架設される。
【００３４】
天井パネル１を水平に移動させて吊金物受２０を係合部１４の前記水平溝部１４ａに差し込んで前方へ吊金物受挿入寸法Ｄだけ移動させると、直前に位置する既設の天井パネルが存在する場合、この既設パネルの後端面に架設しようとしている天井パネル１の前端面が当接し、これら両パネルの隙間がシールされる。
【００３５】
このようにして間口方向の天井パネル１を吊レール４，４間に順次架設していき、最後に壁６Ａに隣り合う天井パネル１Ａを吊レール４と廻り縁５に架設する。前記天井パネル１Ａを架設する場合は、図３に示すように天井パネル１Ａを吊金物１０の係合部１４の水平溝部１４ａが斜め下方を指向するように所要角度傾斜させて隣り合う吊レール４，４間の上方空間に持ち上げ、吊金物１０の係合部１４を吊レール４の吊金物受２０に斜め上方から引っ掛けて当該吊金物受２０により吊金物１０を支持させる。そして、この吊金物受２０を回動中心として天井パネル１Ａを水平になるように図３において時計方向に回動させて壁６Ａ側端部を壁６Ａの廻り縁５の下側水平片５ｂの上に載置する。これにより、天井パネル１Ａは、吊レール４と廻り縁５に架設される。なお、天井パネル１Ａを回動させて水平にすると、壁６Ａ側とは反対側端が直前に位置する既設パネル１の後端面に当接するため、これら両パネル１，１Ａ間の隙間がシールされる。
【００３６】
天井パネル１，１Ａを吊レール４と壁６Ｂ（または６Ｃ）間に架設する場合は、上記した隣り合う吊レール４，４間に架設する場合と同様に行えばよい。すなわち、天井パネル１については、略水平に持ち上げて吊金物１０の係合部１４の水平溝部１４ａの高さを吊金物受２０の高さと一致させ、吊金物１０を吊金物受２０に掛止させることにより天井パネル１を吊レール４と壁６Ｂ（または６Ｃ）に間に架設する。
【００３７】
天井パネル１Ａについては、傾斜させて持ち上げ、天井パネル１Ａの両側に取付けられている吊金物１０を吊レール４と壁６Ｂ（または６Ｃ）に取付けられている吊金物受２０に引っ掛けて水平になるように回動させ、壁６Ａの廻り縁５に載置することにより架設する。なお、壁６Ｂ，６Ｃの上面に取付けられている吊金物受２０は、壁面より室２側に突出しているので、天井パネル１，１Ａを吊レール４の上方に持ち上げるときには、前記吊金物２０と天井パネル１，１Ａが干渉しないように注意して持ち上げる。
【００３８】
このように、本発明に係る天井パネルの取付構造および架設方法によれば、吊金物１０を吊金物受２０に掛止させる際、吊金物１０の係合部１４の吊金物受挿入寸法Ｄ（図３）だけ、天井パネル１を図３においてパネル架設方向とは反対方向に水平移動させて吊金物１０を吊金物受２０に掛止させるようにしているので、作業者が天井裏に入って吊レール４に天井パネル１を固定する必要がない。
【００３９】
また、パネル張設方向に位置する壁６Ａに隣接する天井パネル１Ａを架設するときは、天井パネル１Ａを傾斜させて持ち上げ、吊金物１０を吊金物受２０に引っ掛けて水平になるように回動させることにより、前記壁６Ａに取付けられている廻り縁５に架設するようにしているので、天井パネル１Ａについても作業者が天井裏に入って吊レール４に天井パネル１Ａを固定する必要がない。したがって、天井パネル１，１Ａの架設作業が簡単かつ容易で、短時間に行うことができ、さらには全体の工期を短縮することができる。
また、天井裏に作業者が入らなければ、作業者二人による施工が可能で、作業者および経費を削減することができる。
【００４０】
また、天井パネル１，１Ａの架設に際しては、天井パネル１，１Ａが吊金物１０の吊金物受挿入寸法Ｄだけ、移動して既設の天井パネル１に当接するため、パネル架設方向に隣り合う天井パネルどうしの隙間を確実にシールすることができる。
【００４１】
さらに、天井パネル１Ａを回動させて廻り縁５に架設するようにしているので、天井パネル１Ａと廻り縁５のストッパ部５１との隙間ｄを、吊金物１０の吊金物受挿入寸法Ｄより小さくすることができる。したがって、地震時などで水平方向の力が加わったとき、間口方向に架設されている天井パネル１，１Ａは互いに拘束し合って動くことができず、吊金物１０が吊金物受２０から外れることがなく、天井パネル１，１Ａの落下を確実に防止することができる。
【００４２】
なお、本発明は上記した実施の形態に何ら特定されるものではなく、本発明の要旨を逸脱しない範囲において種々の変更が可能である。例えば、天井パネル１，１Ａは畳１畳分の大きさ以外のものであってもよい。
また、天井パネル１に取付けられる吊り金物１０は、パネル架設方向と直交する各端部に２個ずつ設けたが、これに限らずパネル自体の大きさに応じて決定すればよく、２個以上であってもよい。
【００４３】
【発明の効果】
以上説明したように、本発明に係る天井パネルの取付構造および架設方法によれば、作業者が天井裏において吊レールに天井パネルを固定する作業を必要としないので、天井パネルの架設作業が簡単かつ容易で、架設作業を迅速に行なうことができる。また、作業員二人によって施工することが可能で、施工費用を低減することができる。
【図面の簡単な説明】
【図１】本発明に係る天井パネルの取付構造の一実施の形態を示す平面図である。
【図２】同じく天井パネルの取付構造を示す斜視図である。
【図３】同じく天井パネルの取付構造を示す断面図である。
【図４】同じく天井パネルの取付構造を示す断面図である。
【図５】従来の天井パネルの取付構造を示す斜視図である。
【符号の説明】
１，１Ａ…天井パネル、２…室、３…吊ボルト、４…吊レール、５…廻り縁、６Ａ，６Ｂ，６Ｃ…壁、１０…吊金物、１４…係合部、２０…吊金物受。
【図１】
2004044153.tif 000003
【図２】
2004044153.tif 000004
【図３】
2004044153.tif 000005
【図４】
2004044153.tif 000006
【図５】
2004044153.tif 000007